(57)【要約】  画像読取装置（１）は、原稿台（１１）と、その原稿台（１１）に載置される原稿の読取面に押し当てられる原稿押さえ部（１２）と、移動可能に設けられ、その原稿のうちのその原稿押さえ部（１２）により押さえられていない非押圧部分が載置される載置部（２２）とを備えている。
2017109991.tif 000002
【特許請求の範囲】
【請求項１】
原稿台と、
前記原稿台に載置される原稿の読取面に押し当てられる原稿押さえ部と、
移動可能に設けられ、前記原稿のうちの前記原稿押さえ部により押さえられていない非押圧部分が載置される載置部
とを備える画像読取装置。
【請求項２】
前記載置部は、前記非押圧部分が載置される領域が前記原稿台から遠いほど高さが高くなるように、形成される
請求項１に記載の画像読取装置。
【請求項３】
前記載置部は、前記非押圧部分が載置される領域に窪みが形成される
請求項１に記載の画像読取装置。
【請求項４】
前記載置部に前記非押圧部分が載置されるように、前記原稿台と前記原稿押さえ部とを支持するベース部に前記載置部を取り付ける取付部
をさらに備える請求項１〜請求項３のいずれか一項に記載の画像読取装置。
【請求項５】
前記載置部が前記ベース部から取り外されたときに、前記原稿台と前記原稿押さえ部とともに前記載置部を収納するケース
をさらに備える請求項４に記載の画像読取装置。
【請求項６】
前記載置部を回転可能に前記原稿台に支持するヒンジ部と、
前記載置部が前記原稿台に対して回転することを停止させる固定部
とをさらに備える請求項１に記載の画像読取装置。
【請求項７】
前記載置部は、
第１載置部と、
第２載置部とを有し、
前記第１載置部を回転可能に前記原稿台に支持する第１ヒンジ部と、
前記第１載置部が前記原稿台に対して回転することを停止させる第１固定部と、
前記第２載置部を回転可能に前記第１載置部に支持する第２ヒンジ部と、
前記第２載置部が前記第１載置部に対して回転することを停止させる第１固定部
とをさらに備える請求項１に記載の画像読取装置。
【請求項８】
回転軸を中心に前記原稿押さえ部を回転可能に支持するベース部と、
前記原稿押さえ部が回転する回転運動を、前記回転軸の軸方向と非平行である方向に前記原稿台を前記ベース部に対して昇降させる昇降運動に機械的に変換する連動機構
とをさらに備える請求項１に記載の画像読取装置。
【請求項９】
前記連動機構は、前記非押圧部分に接触しないように形成される
請求項８に記載の画像読取装置。
【請求項１０】
前記連動機構は、
支点を中心に回転可能に前記ベース部に支持されるリンクと、
前記原稿押さえ部が回転することにより前記リンクを回転させる力点部と、
前記リンクが回転することにより前記原稿台を昇降させる作用点部とを有し、
前記支点は、前記原稿台のうちの前記原稿が載置される載置面より下側に配置される
請求項８に記載の画像読取装置。
【請求項１１】
前記連動機構は、前記原稿押さえ部が単位角度だけ回転するときに前記原稿台を昇降させる移動距離が、前記原稿押さえ部が前記原稿台に近くなるほど大きくなるように、形成される
請求項８に記載の画像読取装置。
【発明の詳細な説明】
【技術分野】
【０００１】
本発明は、画像読取装置に関する。
【背景技術】
【０００２】
原稿の読取面を読み取る画像読取装置は、たとえば、原稿台と原稿押さえ部と読取ユニット部とを備えている。原稿押さえ部は、光が透過する透明平板を備え、その透明平板で原稿を押圧して、原稿台に載置された原稿がずれないように原稿を保持する。読取ユニット部は、その原稿のうちの透明平板で押圧されている読取面から透明平板を透過した光を利用して、その読取面を読み取る（たとえば、特許文献１参照）。
【先行技術文献】
【特許文献】
【０００３】
【特許文献１】特開昭６３−３１２６８号公報
【発明の概要】
【発明が解決しようとする課題】
【０００４】
様々な書物を電子化するサービスが広く展開されている。たとえば、アルバム、長尺の蛇腹の書物、巻物に例示されるサイズが大きい書物は、上記の画像読取装置でも、原稿台からはみ出た部分の重みで、ずれたり落ちたりすることがある。このように、画像読取装置は、原稿を適切に保持することができない。【０００５】
開示の技術は、かかる点に鑑みてなされたものであって、原稿を適切に保持する画像読取装置を提供することを目的とする。
【課題を解決するための手段】
【０００６】
開示の態様では、画像読取装置は、原稿台と原稿押さえ部と載置部とを備えている。原稿押さえ部は、前記原稿台に載置される原稿の読取面に押し当てられる。載置部は、移動可能に設けられ、前記原稿のうちの前記原稿押さえ部により押さえられていない非押圧部分が載置される。
【発明の効果】
【０００７】
開示の態様によれば、原稿を適切に保持することができる。
【図面の簡単な説明】
【０００８】
【図１】図１は、実施例１の画像読取装置を示す斜視図である。
【図２】図２は、実施例１の画像読取装置を示す分解斜視図である。
【図３】図３は、実施例１の載置部を示す正面図である。
【図４】図４は、実施例１の原稿台を示す側面図である。
【図５】図５は、実施例１の原稿押さえ部を示し、連動機構を示す側面図である。
【図６】図６は、実施例１の原稿押さえ部が開いたときの原稿台と連動機構とを示す側面図である。
【図７】図７は、実施例１の画像読取装置を示すブロック図である。
【図８】図８は、実施例１の画像読取装置の動作を示すフローチャートである。
【図９】図９は、実施例２の原稿台を示す側面図である。
【図１０】図１０は、実施例３の原稿台補助ジグを示す正面図である。
【図１１】図１１は、実施例４の原稿台補助ジグを示す正面図である。
【図１２】図１２は、実施例５の原稿台補助ジグを示す正面図である。
【図１３】図１３は、実施例６の複数の原稿台補助ジグを示す正面図である。
【図１４】図１４は、実施例７の原稿台補助ジグを示す正面図である。
【図１５】図１５は、実施例８の原稿台補助ジグを示す正面図である。
【図１６】図１６は、実施例９の原稿台補助ジグを示す斜視図である。
【図１７】図１７は、図１６の原稿台補助ジグの他の状態を示す斜視図である。
【図１８】図１８は、図１６の原稿台補助ジグのさらに他の状態を示す斜視図である。
【図１９】図１９は、実施例１０の連動機構を示す側面図である。
【図２０】図２０は、図１９の連動機構の他の状態を示す側面図である。
【図２１】図２１は、実施例１０の原稿押さえ部の角度と原稿台本体の高さとの関係を示すグラフである。
【図２２】図２２は、実施例１１の連動機構を示す側面図である。
【図２３】図２３は、実施例１２の連動機構を示す側面図である。
【発明を実施するための形態】
【０００９】
以下に、本願が開示する画像読取装置の実施例について、図面を参照して説明する。なお、以下の実施例により本発明が限定されるものではない。また、各実施例において同一の構造部材、同一の機能を有する構成及び同一の処理を行うステップには同一の符号を付し、重複する説明を省略する。
【００１０】
［実施例１］
＜画像読取装置の構造＞
図１は、実施例１の画像読取装置を示す斜視図である。画像読取装置１は、図１に示されているように、ケース２が画像読取装置本体３とともに設けられている。ケース２は、ケース本体５とフタ部６とを備えている。ケース本体５は、右側側部７−１と左側側部７−２と手前側側部７−３と奥側側部７−４と底部８とを備えている。
【００１１】
底部８は、長方形状の板に形成されている。右側側部７−１は、長方形状の板に形成され、底部８が沿う平面に垂直である平面に沿うように、底部８の縁に接合されている。左側側部７−２は、右側側部７−１と概ね合同である板に形成され、右側側部７−１と向かい合うように、すなわち、右側側部７−１が沿う平面に平行な平行面に沿うように、底部８のうちの右側側部７−１が接合される縁の反対側の縁に接合されている。手前側側部７−３は、長方形状の板に形成され、右側側部７−１および左側側部７−２と垂直であり、かつ、底部８と垂直である平面に沿うように、右側側部７−１の縁と左側側部７−２の縁と底部８の縁とに接合されている。奥側側部７−４は、手前側側部７−３に概ね合同である板に形成されている。奥側側部７−４は、手前側側部７−３と向かい合うように、すなわち、手前側側部７−３に平行である平行面に沿うように、配置されている。奥側側部７−４は、右側側部７−１の手前側側部７−３が接合される縁の反対側の縁と左側側部７−２の手前側側部７−３が接合される縁の反対側の縁と底部８の手前側側部７−３が接合される縁の反対側の縁とに接合されている。ケース本体５は、このように右側側部７−１と左側側部７−２と手前側側部７−３と奥側側部７−４と底部８とから形成されることにより、開口部が形成されている箱状に形成されている。
【００１２】
フタ部６は、ケース本体５と同様にして、開口部が形成された箱状に形成され、その開口部がケース本体５の開口部に合致するように形成されている。フタ部６は、ケース本体５の奥側側部７−４のうちの底部８が接合される縁の反対側の縁に回転可能に支持されている。フタ部６は、回転することにより、ケース本体５の開口部を開閉し、その開口部がケース本体５の開口部に合致することによりケース２の内部を外部から隔離する。
【００１３】
図２は、実施例１の画像読取装置を示す分解斜視図である。画像読取装置本体３は、ケース２の内部に配置される。画像読取装置本体３は、図２に示されているように、ベース部１０と原稿台１１と原稿押さえ部１２と読取ユニット部１４とを備えている。ベース部１０は、ケース２の内部に配置され、ケース２の底部８に固定されている。
【００１４】
原稿台１１は、原稿台１１とケース２の底部８との間にベース部１０が配置されるように、すなわち、ケース２の底部８が水平面に載置されているときにベース部１０の上部に配置され、ベース部１０に支持されている。原稿台１１は、右側原稿台１１−１と左側原稿台１１−２とを含んでいる。右側原稿台１１−１は、右側側部７−１に近い側に配置されている。左側原稿台１１−２は、右側原稿台１１−１と左側側部７−２との間に配置され、すなわち、左側側部７−２に近い側に配置されている。
【００１５】
原稿押さえ部１２は、ベース部１０と原稿押さえ部１２との間に原稿台１１が配置されるように、原稿台１１の上部に配置され、ベース部１０に支持されている。読取ユニット部１４は、読取ユニット部１４と原稿台１１との間に原稿押さえ部１２が配置されるように、原稿押さえ部１２の上部に配置され、原稿押さえ部１２に平行移動可能に支持されている。
【００１６】
画像読取装置本体３は、さらに、電源部１７とコントローラ部１８とを備えている。電源部１７とコントローラ部１８とは、それぞれ、ベース部１０と原稿台１１との間に配置され、ベース部１０に固定されている。
【００１７】
＜原稿台補助ジグの構造＞
図３は、実施例１の載置部を示す正面図である。画像読取装置１は、図３に示されるように、さらに、原稿台補助ジグ２１を備えている。原稿台補助ジグ２１は、紙面の奥行き方向を軸とする柱体に形成され、載置部２２と取付部２３とを備えている。載置部２２は、紙面の奥行き方向に拡がり平坦である載置面２５が形成されている。取付部２３は、載置部２２に一体に接合されている。取付部２３は、ケース２の左側側部７−２に引っ掛けられることにより、ケース２を介して載置部２２をベース部１０に固定する。このとき、載置部２２は、取付部２３によりベース部１０に固定されたときに、載置面２５が傾斜するように形成されている。すなわち、載置部２２は、載置面２５のうちの原稿台１１から遠い側の領域２７の高さが載置面２５のうちの領域２７より原稿台１１に近い領域２６の高さより高くなるように、形成されている。
【００１８】
原稿台補助ジグ２１は、原稿台１１に載置された原稿が原稿台１１からはみ出たときに、そのはみ出た部分が載置部２２に載置される。画像読取装置１は、そのはみ出た部分が載置部２２に載置されることにより、そのはみ出た部分の自重で原稿が落ちたりずれたりすることを防止し、原稿を適切に保持することができる。
【００１９】
なお、原稿台補助ジグ２１は、合同な形状の複数の板が紙面の奥行き方向に並べられて連結棒で互いに接合されたもので形成されることもできる。また、原稿台補助ジグ２１は、１枚の板から形成されることもできる。このように形成された原稿台補助ジグも、原稿台１１からはみ出た部分がその板の上方の縁に載置されることにより、そのはみ出た部分の自重で原稿が原稿台１１からずれたり落ちたりすることを防止することができる。
【００２０】
また、載置部２２は、載置面２５が原稿台１１から遠いほど高さが高くなるように傾斜していることにより、載置部２２に載置されている原稿の非押圧部分が、原稿台１１から遠い側に転がり落ちたり滑り落ちたりすることが防止される。
【００２１】
原稿台補助ジグ２１は、ケース２の左側側部７−２と同様に右側側部７−１と手前側側部７−３とが板状に形成されていることから、右側側部７−１または手前側側部７−３に引っ掛けられて固定されることもできる。
【００２２】
原稿台補助ジグ２１は、左側側部７−２に取り付けられている状態で、ケース２のフタ部６がケース本体５を閉鎖しようとすると、フタ部６に干渉する。画像読取装置１は、原稿台補助ジグ２１がケース２の左側側部７−２から取り外されることにより、ケース２のフタ部６を閉じることができ、コンパクトになる。画像読取装置１は、ケース２の左側側部７−２から取り外されているときに、画像読取装置本体３とともにケース２に収納されてもよい。ケース２は、画像読取装置本体３と原稿台補助ジグ２１との両方を、ケース本体５とフタ部６とに囲まれた内部に収納することができるように形成されている。画像読取装置１は、原稿台補助ジグ２１がケース２に取り付けられている状態より、コンパクトにすることができ、原稿台補助ジグ２１を画像読取装置本体３と別個に搬送する必要がなく、容易に搬送されることができる。
【００２３】
＜原稿台の構造＞
図４は、実施例１の原稿台を示す側面図である。右側原稿台１１−１は、図４に示されているように、原稿台本体３０とベース側奥側支持部材３１とベース側手前側支持部材３２とを備えている。原稿台本体３０は、長方形状の板状に形成され、平坦である載置面１５が形成されている（図２参照）。原稿台本体３０は、原稿台本体３０とケース２の底部８との間にベース部１０が配置されるように、ベース部１０の上に配置されている。原稿台本体３０は、さらに、ケース２の底部８が載置される水平面に平行な平面に載置面１５が沿うように、かつ、載置面１５がベース部１０の側の反対側に向くように、配置されている。
【００２４】
ベース側奥側支持部材３１は、ベース部１０から上側に向かって突出するように配置され、ベース部１０に固定されている。ベース側奥側支持部材３１は、奥側上側スライドコロ３３と奥側下側スライドコロ３４とが形成されている。奥側上側スライドコロ３３は、ベアリングから形成されている。奥側上側スライドコロ３３は、ベース側奥側支持部材３１のうちのケース２の右側側部７−１に対向する面から右側側部７−１に向かって突出する軸に回転可能に支持されている。奥側下側スライドコロ３４は、ベアリングから形成されている。奥側下側スライドコロ３４は、奥側上側スライドコロ３３から所定の距離Ｌだけ下側に配置され、ベース側奥側支持部材３１のうちのケース２の右側側部７−１に対向する面からケース２の右側側部７−１に向かって突出する軸に回転可能に支持されている。
【００２５】
ベース側手前側支持部材３２は、ベース側奥側支持部材３１よりケース２の手前側側部７−３に近い側に配置され、ベース部１０から上側に向かって突出するように配置され、ベース部１０に固定されている。ベース側手前側支持部材３２は、手前側上側スライドコロ３５と手前側下側スライドコロ３６とが形成されている。手前側上側スライドコロ３５は、ベアリングから形成されている。手前側上側スライドコロ３５は、ベース側手前側支持部材３２のうちのケース２の右側側部７−１に対向する面から右側側部７−１に向かって突出する軸に回転可能に支持されている。手前側下側スライドコロ３６は、ベアリングから形成されている。手前側下側スライドコロ３６は、手前側上側スライドコロ３５から所定の距離Ｌだけ下側に配置され、ベース側手前側支持部材３２のうちのケース２の右側側部７−１に対向する面から右側側部７−１に向かって突出する軸に回転可能に支持されている。
【００２６】
右側原稿台１１−１は、さらに、原稿台側奥側支持部材３８と原稿台側手前側支持部材３９とねじりコイルばね４０とを備えている。原稿台側奥側支持部材３８は、板状に形成されている。原稿台側奥側支持部材３８は、ケース２の右側側部７−１に平行である平面に沿って原稿台本体３０から下側に向かって突出するように配置され、原稿台本体３０に固定されている。原稿台側奥側支持部材３８は、奥側上側スライド溝４１と手前側下側スライド溝４２とが形成されている。奥側上側スライド溝４１は、載置面１５に垂直である直線に沿うように形成されている。奥側上側スライド溝４１は、奥側上側スライドコロ３３が嵌め込まれ、載置面１５に垂直である方向に奥側上側スライドコロ３３が平行移動するように、奥側上側スライドコロ３３を案内している。手前側下側スライド溝４２は、奥側上側スライド溝４１よりベース部１０に近い側に配置され、載置面１５に垂直である直線に沿うように形成されている。手前側下側スライド溝４２は、奥側下側スライドコロ３４が嵌め込まれ、載置面１５に垂直である方向に奥側下側スライドコロ３４が平行移動するように、奥側下側スライドコロ３４を案内している。
【００２７】
原稿台側手前側支持部材３９は、板状に形成されている。原稿台側手前側支持部材３９は、原稿台側奥側支持部材３８よりケース２の手前側側部７−３に近い側に配置され、ケース２の右側側部７−１に平行である平面に沿って原稿台本体３０から下側に向かって突出するように配置され、原稿台本体３０に固定されている。原稿台側手前側支持部材３９は、手前側上側スライド溝４３と手前側下側スライド溝４４とが形成されている。手前側上側スライド溝４３は、載置面１５に垂直である直線に沿うように形成されている。手前側上側スライド溝４３は、手前側上側スライドコロ３５が嵌め込まれ、載置面１５に垂直である方向に手前側上側スライドコロ３５が平行移動するように、手前側上側スライドコロ３５を案内している。手前側下側スライド溝４４は、手前側上側スライド溝４３よりベース部１０に近い側に配置され、鉛直方向に平行である直線に沿うように形成されている。手前側下側スライド溝４４は、載置面１５に垂直である直線に沿うように形成されている。手前側下側スライド溝４４は、手前側下側スライドコロ３６が嵌め込まれ、載置面１５に垂直である方向に手前側下側スライドコロ３６が平行移動するように、手前側下側スライドコロ３６を案内している。
【００２８】
ねじりコイルばね４０は、弾性体から形成され、屈曲している棒状に形成されている。ねじりコイルばね４０は、一端がベース側奥側支持部材３１に固定され、他端が原稿台本体３０のうちのベース部１０の側の表面に突き当たっている。ねじりコイルばね４０は、原稿台本体３０がベース部１０から遠ざかるように、すなわち、原稿台本体３０が上方に押し上げられるように、弾性力を原稿台本体３０に印加している。
【００２９】
このため、右側原稿台１１−１は、載置面１５が鉛直方向に平行移動するように、原稿台本体３０がベース部１０に支持されている。右側原稿台１１−１は、奥側上側スライドコロ３３と奥側下側スライドコロ３４とが距離Ｌだけ離れていることにより、載置面１５が鉛直方向に移動するときに、載置面１５が傾斜することが防止されている。右側原稿台１１−１は、さらに、原稿台本体３０に下側に向かう力が印加されないときに、載置面１５が所定の上端位置に配置されるように、原稿台本体３０がベース部１０に支持されている。右側原稿台１１−１は、さらに、原稿台本体３０に下側に向かう力が印加されたときに、その力に対応する距離だけ載置面１５が下降する。なお、手前側上側スライドコロ３５と手前側下側スライドコロ３６と手前側上側スライドコロ３５と手前側下側スライドコロ３６とは、樹脂製の樹脂コロに置換されることができる。右側原稿台１１−１は、手前側上側スライドコロ３５と手前側下側スライドコロ３６と手前側上側スライドコロ３５と手前側下側スライドコロ３６とが樹脂コロに置換された場合も、同様にして、載置面１５が傾斜することが防止される。
【００３０】
左側原稿台１１−２は、右側側部７−１と左側側部７−２とに平行である対称面に対して右側原稿台１１−１と面対称になるように、右側原稿台１１−１と同様に形成されている。すなわち、左側原稿台１１−２は、原稿台本体が鉛直方向に平行移動するように、原稿台本体がベース部１０に支持されている。さらに、左側原稿台１１−２は、左側原稿台１１−２の原稿台本体に下側に向かう力が印加されないときに、原稿台本体３０に下側に向かう力が印加されない右側原稿台１１−１の載置面１５に沿う平面に左側原稿台１１−２の載置面が沿うように、形成されている。
【００３１】
原稿台１１は、右側原稿台１１−１と左側原稿台１１−２とを含むことにより、原稿台１１に見開きの本が載置されるときに、その本の右側のページが右側原稿台１１−１に載置され、その本の左側のページが左側原稿台１１−２に載置されることができる。このため、原稿台１１は、その本の右側のページの厚さと左側のページの厚さとが異なる場合でも、右側のページの読取面と左側のページの読取面とが同一平面上に配置されるように、その本が載置されることができる。
【００３２】
＜原稿押さえ部の構造＞
図５は、実施例１の原稿押さえ部を示し、連動機構を示す側面図である。原稿押さえ部１２は、図５に示されているように、透明平板１６と支持部材５１を備えている（図２参照）。透明平板１６は、可視光線に例示される光を透過する材料から形成され、長方形の板状に形成されている。支持部材５１は、透明平板１６に固定されている。支持部材５１は、回転軸５２を中心に回転可能にベース部１０に支持され、回転軸５２を中心に回転可能に透明平板１６をベース部１０に支持している。回転軸５２は、載置面１５に平行であり、かつ、ケース２の奥側側部７−４が沿う平面に平行であり、すなわち、左側原稿台１１−２と右側原稿台１１−１とが並ぶ方向に平行である。
【００３３】
＜連動機構の構造＞
画像読取装置本体３は、図５に示されているように、さらに、連動機構５３を備えている。連動機構５３は、リンク５４と支点台５５と力点部５６と作用点部５７とを備えている。リンク５４は、屈曲した棒から形成されている。支点台５５は、ベース部１０に固定されている。支点台５５は、回転軸５８を中心に回転可能にリンク５４を支持している。回転軸５８は、回転軸５２に平行になるように、かつ、原稿台本体３０の載置面１５が沿う平面より常時に下側に配置されるように、原稿台本体３０より下側に配置されている。力点部５６は、原稿押さえ部１２の支持部材５１の一部から右側側部７−１に向かって突出する突起に形成されている。力点部５６は、透明平板１６が原稿台１１の載置面１５から遠ざかるように原稿押さえ部１２が回転軸５２を中心に回転するときに、リンク５４の一端を上方に押し上げる。作用点部５７は、原稿台１１の原稿台本体３０の下部から突出する部材の右側側部７−１に対向する表面から右側側部７−１に向かって突出する突起に形成されている。作用点部５７は、原稿押さえ部１２が回転軸５２を中心に回転するときに、リンク５４が回転軸５８を中心に回転することにより、リンク５４のうちの力点部５６に押し上げられる一端の反対側の他端により下方に押し下げられる。
【００３４】
このため、連動機構５３は、透明平板１６が載置面１５から遠ざかるように原稿押さえ部１２が回転軸５２を中心に回転するときに、右側原稿台１１−１の載置面１５を下方に押し下げる。
【００３５】
図６は、実施例１の原稿押さえ部が開いたときの原稿台と連動機構とを示す側面図である。より詳細には、図６は、透明平板１６が右側原稿台１１−１の載置面１５から遠ざかるように原稿押さえ部１２が回転軸５２を中心に回転することにより原稿押さえ部１２が開いた状態を示している。このとき、連動機構５３は、図５に示されている原稿押さえ部１２が閉じた状態で右側原稿台１１−１の載置面１５が配置されていた高さより低い位置に、右側原稿台１１−１の載置面１５が配置されるように、原稿台本体３０を下降させている。
【００３６】
連動機構５３のリンク５４は、原稿押さえ部１２が閉じた状態で載置面１５が配置されている位置より下側に作用点部５７と回転軸５８とが配置されている。このため、連動機構５３のリンク５４は、原稿押さえ部１２が開閉されたときに、載置面１５から回転軸５２の軸方向に延長された面より上に常時に配置されないように形成されることができる。連動機構５３は、載置面１５から回転軸５２の方向に延長された面より上に配置されないことにより、右側原稿台１１−１に載置された原稿に干渉することが防止される。
【００３７】
連動機構５３は、このように形成されることにより、原稿押さえ部１２が閉じられるときに、透明平板１６が原稿台１１の載置面と平行に近い角度で原稿台１１に接近することができる。画像読取装置１は、透明平板１６が原稿台１１の載置面と平行に近い角度で原稿台１１に接近することにより、原稿台１１に載置された原稿の読取面に原稿押さえ部１２の透明平板１６が平行に近い角度で接触することができる。このため、画像読取装置１は、その原稿に原稿押さえ部１２の透明平板１６が押し付けられたときに原稿にしわが寄ることが防止される。
【００３８】
連動機構５３は、さらに、原稿押さえ部１２が回転する回転運動を、原稿台１１の原稿台本体３０を昇降させる昇降運動に機械的に変換することにより、電力を用いず原稿台本体３０を上昇させ、省電力である。連動機構５３は、原稿台本体３０を電力により昇降させる他の連動機構に比較して、電源部１７の負担を低減することができ、このため、連動機構５３を備えている画像読取装置１は、電源部１７の１回の充電でより多くの原稿を読み取ることができる。
【００３９】
画像読取装置本体３は、さらに、図示されていない他の連動機構を備えている。その連動機構は、連動機構５３と同様にして形成され、原稿押さえ部１２が開いたときに、左側原稿台１１−２の載置面を下降させる。その連動機構は、さらに、原稿押さえ部１２が閉じたときに左側原稿台１１−２の載置面から回転軸５２の方向に延長された面より上に配置されないように形成され、左側原稿台１１−２に載置された原稿に干渉しないように形成されている。
【００４０】
＜画像読取装置の構成＞
図７は、実施例１の画像読取装置を示すブロック図である。画像読取装置１は、図７に示されているように、読取ユニット部１４と電源部１７とコントローラ部１８と駆動部６１と表示部８１とを備えている。駆動部６１は、副走査方向に平行移動可能に読取ユニット部１４を原稿押さえ部１２に支持している。副走査方向は、透明平板１６に平行であり、かつ、原稿押さえ部１２の回転軸５２に垂直である。駆動部６１は、モータ６２とギヤ６３とベルト６４とを備えている。モータ６２は、コントローラ部１８に制御されることにより、外部から供給される電力を用いてギヤ６３を回転させる。ベルト６４は、帯状に形成され、一部がギヤ６３を取り巻き、他の一部が読取ユニット部１４に接合されている。ギヤ６３は、モータ６２により回転されることによりベルト６４を移動させ、読取ユニット部１４を副走査方向に平行に移動させる。すなわち、駆動部６１は、コントローラ部１８に制御されることにより、読取ユニット部１４を副走査方向に平行に移動させる。
【００４１】
読取ユニット部１４は、画像センサ６５とＨＰ（Ｈｏｍｅ  Ｐｏｓｉｔｉｏｎ）センサ６６とを備えている。画像センサ６５は、ＣＩＳ（Ｃｏｎｔａｃｔ  Ｉｍａｇｅ  Ｓｅｎｓｏｒ）タイプのイメージセンサから形成されている。画像センサ６５は、直線状に形成され、読取ユニット部１４が移動する副走査方向に垂直である主走査方向に平行な直線に沿うように、読取ユニット部１４のうちの透明平板１６に対向する面に配置されている。画像センサ６５は、コントローラ部１８に制御されることにより、透明平板１６が押し当てられている読取対象の読取面のうちの主走査方向に平行である直線状の読取ラインに透明平板１６を介して光を照射する。画像センサ６５は、透明平板１６を介してその読取ラインを反射した光を受光する。画像センサ６５は、さらに、その受光した光を検出し、その検出結果を示す画像情報をコントローラ部１８に出力する。ＨＰセンサ６６は、コントローラ部１８に制御されることにより、読取ユニット部１４の移動可能範囲のうちの原稿押さえ部１２の回転軸５２の近傍のホームポジションに読取ユニット部１４が配置されているかどうかを検出する。ＨＰセンサ６６は、さらに、その検出結果をコントローラ部１８に出力する。
【００４２】
電源部１７は、バッテリ７１と電圧安定回路７２とを備えている。バッテリ７１は、電圧安定回路７２に接続され、直流電力を電圧安定回路７２に供給する。電圧安定回路７２は、コントローラ部１８に接続され、バッテリ７１から供給される電力を電圧が一定の値になるように安定化させ、その安定化された電力をコントローラ部１８に供給する。
【００４３】
コントローラ部１８は、いわゆるコンピュータであり、ＣＰＵ（Ｃｅｎｔｒａｌ  Ｐｒｏｃｅｓｓｉｎｇ  Ｕｎｉｔ）７３とストレージ７４と無線通信部７５とモータドライバ７６とを備えている。ＣＰＵ７３は、コントローラ部１８にインストールされているコンピュータプログラムを実行することにより、ストレージ７４と無線通信部７５とモータドライバ７６とを制御し、読取ユニット部１４と駆動部６１とを制御する。ストレージ７４は、そのコンピュータプログラムを記録し、ＣＰＵ７３により作成される情報を一時的に記録する。無線通信部７５は、ＣＰＵ７３に制御されることにより、無線通信を介して外部機器から受信された情報をＣＰＵ７３に出力し、ＣＰＵ７３により作成される情報をその外部機器に無線通信を介して出力する。モータドライバ７６は、ＣＰＵ７３に制御されることにより、電源部１７から供給される電力のうちの所定の電力を駆動部６１のモータ６２に供給して、読取ユニット部１４を所定の速度で所定の距離だけ移動させる。
【００４４】
コントローラ部１８は、画像読取装置１が起動されたときに、または、読取ユニット部１４の読み取りが終了したときに、読取ユニット部１４がホームポジションに配置されているかどうかを検出するように、ＨＰセンサ６６を制御する。コントローラ部１８は、読取ユニット部１４がホームポジションに配置されていないときに、読取ユニット部１４が原稿押さえ部１２の回転軸５２に接近するように、駆動部６１を制御する。コントローラ部１８は、表示部８１から読取指示を受信したときに、読取ユニット部１４がホームポジションから副走査方向に所定の速度で移動するように、駆動部６１を制御する。コントローラ部１８は、読取ユニット部１４が所定の速度で移動しているときに、原稿台１１に載置されている原稿のうちの透明平板１６が押し当てられている読取面に充填される複数の読取ラインを読み取るように、読取ユニット部１４を制御する。コントローラ部１８は、読取ユニット部１４により読み取られた複数の読取ラインをそれぞれ示す複数の画像情報に基づいて、その読取面を写す２次元の画像を作成し、その作成された画像を表示部８１に送信する。
【００４５】
表示部８１は、いわゆるコンピュータであり、ＣＰＵ８２とストレージ８３と無線通信部８４とを備え、図示されていない入出力装置を備えている。ＣＰＵ８２は、コントローラ部１８にインストールされているコンピュータプログラムを実行することにより、ストレージ７４と無線通信部８４とを制御する。表示部８１としては、タブレットＰＣ（Ｐｅｒｓｏｎａｌ  Ｃｏｍｐｕｔｅｒ）、タブレット端末、スマートフォンが例示される。
【００４６】
表示部８１は、ユーザに所定の情報が入力されることにより、無線通信を介して所定の開始情報を画像読取装置１に送信する。表示部８１は、無線通信を介して画像読取装置１から送信された画像を受信し、その受信した画像をストレージ８３に記録し、その受信した画像を入出力装置に表示する。
【００４７】
＜画像読取装置の動作＞
図８は、実施例１の画像読取装置の動作を示すフローチャートである。ユーザは、まず、画像読取装置本体３と原稿台補助ジグ２１とがケース２に収納された状態で、作業台が設置された作業場所に画像読取装置１を搬送する。このとき、画像読取装置１は、画像読取装置本体３と原稿台補助ジグ２１との両方がケース２に収納されることにより、ユーザが原稿台補助ジグ２１を画像読取装置本体３と一緒に持ち運ぶことができる。このとき、画像読取装置１は、原稿台補助ジグ２１が画像読取装置本体３と別々に持ち運ばれることに比較して、より容易に搬送されることができる。サイズが大きい書物、重量が重い書物、図書館から館外への持ち出しが禁じられている禁帯出の書物は、書物が保管されている保管場所から、画像読取装置１が設定される設置場所に持ち出すことが困難である。画像読取装置１は、コンパクトで容易に搬送されることができることにより、このような書物が保管されている保管場所に持ち込まれ、このような書物を容易に電子化することができる。
【００４８】
ユーザは、その作業場所に画像読取装置１を搬送した後に、ケース２の底部８を下にして画像読取装置１をその作業台の上に載置する。ユーザは、画像読取装置１を載置した後に、ケース２のフタ部６を開いて画像読取装置本体３を露出させ、画像読取装置１を操作することにより画像読取装置１に電源を入れる。コントローラ部１８は、画像読取装置１がユーザの操作により電源が入れられて起動すると、ＨＰセンサ６６を制御することにより、読取ユニット部１４がホームポジションに配置されているかどうかを判別する（ステップＳ１）。コントローラ部１８は、読取ユニット部１４がホームポジションに配置されていないときに（ステップＳ２、Ｎｏ）、駆動部６１を制御することにより、読取ユニット部１４を回転軸５２に接近させる（ステップＳ３）。コントローラ部１８は、読取ユニット部１４がホームポジションに配置されていると判別されるまで、ステップＳ１からステップＳ３までの処理を繰り返し実行する。コントローラ部１８は、読取ユニット部１４がホームポジションに配置されていると判別されたときに（ステップＳ２、Ｙｅｓ）、読取指示待ちのモードに遷移する（ステップＳ４）。
【００４９】
コントローラ部１８は、読取指示待ちのモードに遷移すると、表示部８１から無線通信を介して読取指示が受信されるかどうかを判別する（ステップＳ５）。コントローラ部１８は、その読取指示が受信されないときに（ステップＳ５、Ｎｏ）、読取指示が受信されるまで待機し（ステップＳ６）、表示部８１から送信される読取指示が受信されるかどうかを判別する処理（ステップＳ５）を繰り返し実行する。
【００５０】
ユーザは、読取ユニット部１４がホームポジションに配置された後に、透明平板１６が原稿台１１の載置面１５から離れるように原稿押さえ部１２を回転させ、原稿押さえ部１２を開く。ユーザは、原稿押さえ部１２を開いた後に、所望の読取面が上を向くように、準備した書類を原稿台１１に載置する。ユーザは、その書類に、原稿台１１に載置されなくてはみ出る部分がある場合に、適切な位置に原稿台補助ジグ２１の載置部２２を配置する。ユーザは、さらに、原稿台補助ジグ２１の取付部２３をケース２の右側側部７−１と左側側部７−２と手前側側部７−３とのうちのいずれかに引っ掛けることにより、原稿台補助ジグ２１をベース部１０に固定する。ユーザは、原稿台補助ジグ２１をベース部１０に固定した後に、所望の読取面が上を向くように、準備した書類を原稿台１１の載置面１５に載置し、そのはみ出た部分を載置部２２に載置する。ユーザは、原稿を原稿台１１の載置面１５に適切に載置した後に、原稿の読取面が原稿押さえ部１２の透明平板１６に押し付けられるように、原稿押さえ部１２を回転させ、原稿押さえ部１２を閉める。原稿は、原稿押さえ部１２が閉められることにより、原稿台１１に載置された部分が原稿台１１のねじりコイルばね４０の弾性力により原稿台１１に適切に保持され、原稿台１１に載置された部分がずれることが防止される。
【００５１】
このとき、原稿のうちの原稿台１１からはみ出た部分が原稿台補助ジグ２１の載置部２２に載置されることにより、ユーザによるはみ出た部分の支持が不要になる。画像読取装置１は、さらに、原稿台補助ジグ２１の載置部２２の載置面２５が傾斜していることにより、原稿のうちの載置部２２に載置されている部分が、原稿台１１から遠い側に転がり落ちたり滑り落ちたりすることを防止することができる。
【００５２】
ユーザは、原稿押さえ部１２を閉めた後に、表示部８１が読取指示を送信するように、表示部８１の入出力装置を用いて所定の情報を表示部８１に入力する。表示部８１は、ユーザにより所定の情報が入力されると、無線通信を介して読取指示を画像読取装置１に送信する。
【００５３】
コントローラ部１８は、その読取指示が受信されたときに（ステップＳ５、Ｙｅｓ）、読取動作を実行し（ステップＳ７）、読取完了待ちのモードに遷移する（ステップＳ８）。すなわち、コントローラ部１８は、駆動部６１を制御することにより、読取ユニット部１４を副走査方向に平行に所定の速度で移動させる。コントローラ部１８は、読取ユニット部１４が所定の速度で移動している最中に、読取ユニット部１４を制御することにより、読取面を隙間なく充填している複数の読取ラインを１つずつ読み取り、複数の読取ラインをそれぞれ示す複数の画像情報を作成する。
【００５４】
このときも、画像読取装置１は、原稿の一部分が原稿台補助ジグ２１の載置部２２に載置されていることにより、読取ユニット部１４が読取ラインを読み取っている最中に、原稿がずれることが防止される。
【００５５】
コントローラ部１８は、その複数の読取ラインの全部を読み取ると、その複数の画像情報に基づいて読取面を写す画像を作成し、無線通信を介してその画像を表示部８１に送信する。表示部８１は、無線通信を介してその画像を受信すると、その画像をストレージ８３に記録し、その画像を入出力装置に表示する。
【００５６】
コントローラ部１８は、その読取動作が終了すると、ＨＰセンサ６６を制御することにより、読取ユニット部１４がホームポジションに配置されているかどうかを判別する（ステップＳ９）。コントローラ部１８は、読取ユニット部１４がホームポジションに配置されていないときに（ステップＳ９、Ｎｏ）、駆動部６１を制御することにより、読取ユニット部１４を回転軸５２に接近させる（ステップＳ１０）。コントローラ部１８は、読取ユニット部１４がホームポジションに配置されていると判別されるまで、ステップＳ９からステップＳ１０までの処理を繰り返し実行する。
【００５７】
コントローラ部１８は、読取ユニット部１４がホームポジションに配置されていると判別されたときに（ステップＳ９、Ｙｅｓ）、再度ステップＳ４の読取指示待ちのモードに遷移する。
【００５８】
なお、ステップＳ５では、コントローラ部１８は、表示部８１からの読取指示以外のトリガーで、ステップＳ７の読み取り操作を開始することにしてもよい。たとえば、コントローラ部１８は、読取指示待ちのモードであるときに、原稿押さえ部１２が閉じられたことを検出したときに、読取動作を実行するようにしてもよい。
【００５９】
このように画像読取装置１は、原稿台１１と、原稿台１１に載置される原稿の読取面に押し当てられる原稿押さえ部１２と、移動可能に設けられ、その原稿のうちの原稿押さえ部１２により押さえられていない非押圧部分が載置される載置部２２とを備えている。このため、画像読取装置１は、原稿押さえ部１２からはみ出る原稿の非押圧部分を載置部２２に載置されることができる。画像読取装置１は、原稿が原稿台１１または原稿押さえ部１２より大きいときでも、原稿を読み取るときに、原稿が落ちたりずれたりすることを防止し、原稿を適切に保持することができる。画像読取装置１は、さらに、載置部２２を移動させることにより装置全体をコンパクトにすることができ、載置部２２が固定されている他の画像読取装置と比較して、容易に持ち運ばれることができる。
【００６０】
また、載置部２２は、その非押圧部分に接触する領域が原稿台１１から遠いほど高さが高くなるように、形成されている。このため、画像読取装置１は、載置部２２に載置されている非押圧部分が、原稿台１１から遠い側に転がり落ちたり滑り落ちたりすることが防止される。
【００６１】
また、連動機構５３は、原稿台１１のうちの原稿が載置される載置面１５と載置部２２のうちの原稿に接する載置面２５とを結ぶ線に交差しないように形成されている。このため、画像読取装置１は、連動機構５３が原稿に干渉しないように、原稿台１１と載置部２２とに原稿を適切に載置することができる。
【００６２】
また、画像読取装置１は、載置部２２に原稿の非押圧部分が載置されるように、原稿台１１と原稿押さえ部１２とを支持するベース部１０に載置部２２を着脱可能に取り付ける取付部２３を備えている。このため、画像読取装置１は、載置部２２をベース部１０に取り付けることにより、原稿の非押圧部分を支持し、原稿の読取時に原稿が落ちたりずれたりすることを防止することができる。画像読取装置１は、さらに、載置部２２をベース部１０から取り外すことにより、コンパクトにすることができ、容易に持ち運ばれることができる。
【００６３】
また、画像読取装置１は、原稿台１１と原稿押さえ部１２とともに載置部２２を収納するケース２をさらに備えている。このため、画像読取装置１は、載置部２２をケース２に収納することにより、載置部２２を画像読取装置本体３と一緒に持ち運ぶことができ、容易に搬送されることができる。
【００６４】
ところで、実施例１の画像読取装置１の載置部２２は、載置面２５が傾斜しているが、載置面２５を傾斜させる必要はなく、載置面２５に原稿を載置することにより、原稿が落ちたりずれたりすることを防止し、原稿を適切に保持することができる。
【００６５】
実施例１の画像読取装置１の連動機構５３は、原稿台１１のうちの原稿が載置される載置面１５と載置部２２のうちの原稿に接する載置面とを結ぶ線に交差するように形成されていてもよい。画像読取装置１は、この場合も、載置面２５に原稿を載置することにより、原稿が落ちたりずれたりすることを防止し、原稿を適切に保持することができる。
【００６６】
実施例１の画像読取装置１は、載置部２２を着脱可能に取り付ける取付部２３を備えているが、載置部２２が取り外せないように設けられていてもよい。画像読取装置１は、この場合も、載置面２５に原稿を載置することにより、原稿が落ちたりずれたりすることを防止し、原稿を適切に保持することができる。
【００６７】
実施例１の画像読取装置１は、原稿台１１と原稿押さえ部１２とともに載置部２２を収納するケース２を備えているが、ケース２を備える必要はない。画像読取装置１は、ケース２を備えていない場合でも、載置面２５に原稿を載置することにより、原稿が落ちたりずれたりすることを防止し、原稿を適切に保持することができる。
【００６８】
以下、他の実施例について図面を参照して説明する。
【００６９】
［実施例２］
＜他の原稿台＞
原稿台１１のねじりコイルばね４０は、原稿台本体３０のうちのベース部１０の側の表面の中央以外の領域に突き当たるように形成されることもできる。原稿台１１のねじりコイルばね４０は、さらに、原稿台本体３０を上に押し上げる弾性力を原稿台本体３０に印加する他の弾性体に置換されることができる。
【００７０】
図９は、実施例２の原稿台を示す側面図である。図９は、このような弾性体が利用された他の右側原稿台を示している。その右側原稿台９０は、既述の右側原稿台１１−１のねじりコイルばね４０が圧縮コイルばね９１に置換されている。圧縮コイルばね９１は、コイル状に形成され、ベース部１０と原稿台本体３０との間に配置され、一端がベース部１０に接合され、他端が原稿台本体３０の下側表面の中央に接合されている。圧縮コイルばね９１は、原稿台本体３０がベース部１０から遠ざかるように、すなわち、原稿台本体３０が上方に押し上げられるように、弾性力を原稿台本体３０に印加している。このような弾性体が適用された画像読取装置も、既述の画像読取装置１と同様にして、その弾性体の弾性力により、原稿を適切に保持することができ、原稿を適切に読み取ることができる。
【００７１】
なお、画像読取装置は、原稿台が右側原稿台１１−１と左側原稿台１１−２とから形成されていなくてもよく、１つの原稿台から形成されることもできる。１つの原稿台を備えている画像読取装置も、既述の画像読取装置１と同様にして、既述の載置部が設けられていることにより、原稿が落ちたりずれたりすることを防止し、原稿を適切に読み取ることができる。
【００７２】
［実施例３］
＜他の原稿台補助ジグ＞
原稿台補助ジグ２１の取付部２３は、ケース本体５の側部に引っ掛けることと異なる手段で載置部２２をベース部１０に固定する他の取付部に置換されることができる。
【００７３】
図１０は、実施例３の原稿台補助ジグを示す正面図である。より詳細には、このような取付部が利用された他の原稿台補助ジグを示している。その原稿台補助ジグ１０１は、図１０に示されているように、既述の原稿台補助ジグ２１と同様にして、載置部２２と取付部２３とを備え、クリップ１０４をさらに備えている。クリップ１０４は、弾性体から形成され、一部が取付部２３に固定されている。クリップ１０４は、取付部２３がケース２の左側側部７−２に引っ掛けられることにより、左側側部７−２を挟むように弾性力を左側側部７−２に印加し、ケース２を介して載置部２２をベース部１０に固定する。原稿台補助ジグ１０１は、クリップ１０４が設けられていることにより、既述の原稿台補助ジグ２１に比較して、ケース２の左側側部７−２に載置部２２をより強固に固定することができる。原稿台補助ジグ１０１が設けられた画像読取装置も、既述の画像読取装置１と同様にして、載置部２２が設けられていることにより、原稿が落ちたりずれたりすることを防止し、原稿を適切に保持することができる。
【００７４】
［実施例４］
＜さらに他の原稿台補助ジグ＞
図１１は、実施例４の原稿台補助ジグを示す正面図である。その原稿台補助ジグ１１１は、図１１に示されているように、既述の原稿台補助ジグ２１と同様にして、載置部２２と取付部２３とを備え、締結部材１１４をさらに備えている。締結部材１１４は、ねじから形成されている。締結部材１１４は、取付部２３がケース２の左側側部７−２に引っ掛けられているときに、左側側部７−２に形成された孔に挿入されて取付部２３の一部に締結されることにより、ケース２を介して載置部２２をベース部１０に固定する。原稿台補助ジグ１１１は、締結部材１１４が設けられていることにより、既述の原稿台補助ジグ２１に比較して、ケース２の左側側部７−２に載置部２２をより強固に固定することができる。原稿台補助ジグ１１１が設けられた画像読取装置も、既述の画像読取装置１と同様にして、載置部２２が設けられていることにより、原稿が落ちたりずれたりすることを防止し、原稿を適切に保持することができる。
【００７５】
［実施例５］
＜さらに他の原稿台補助ジグ＞
原稿台補助ジグ２１は、載置面２５が傾斜しないように形成されることもできる。図１２は、実施例５の原稿台補助ジグを示す正面図である。その原稿台補助ジグ１２１は、図１２に示されているように、載置部１２２と取付部１２３とを備えている。載置部１２２は、平坦である載置面１２５が形成されている。取付部１２３は、載置部１２２に一体に接合されている。取付部１２３は、ケース２の左側側部７−２に引っ掛けられることにより、ケース２を介して載置部１２２をベース部１０に固定する。取付部１２３は、載置部１２２がベース部１０に固定されたときに、ケース２の底部８が載置される水平面に平行な平面に載置面１２５が沿うように、形成されている。このような原稿台補助ジグ１２１も、原稿のうちの原稿台１１からはみ出た部分が転がるおそれがない場合に、たとえば、アルバム１２９が載置されるときに、既述の原稿台補助ジグ２１と同様にして、原稿台１１からはみ出た部分が載置される。原稿台補助ジグ１２１のような取付部が適用された画像読取装置も、既述の画像読取装置１と同様にして、原稿台１１に載置された原稿のはみ出た部分が載置されることができ、原稿を適切に保持することにより原稿を適切に読み取ることができる。
【００７６】
［実施例６］
＜複数の原稿台補助ジグ＞
画像読取装置１は、別の原稿台補助ジグをさらに備えることもできる。図１３は、実施例６の複数の原稿台補助ジグを示す正面図である。その画像読取装置は、図１３に示されているように、右側原稿台補助ジグ１３１−１と左側原稿台補助ジグ１３１−２とを備えている。右側原稿台補助ジグ１３１−１は、載置部１３２−１と取付部１３３−１とを備えている。載置部１３２−１は、平坦である載置面１３５−１が形成されている。取付部１３３−１は、載置部１３２−１に一体に接合されている。取付部１３３−１は、ケース２の左側側部７−２に引っ掛けられることにより、ケース２を介して載置部１３２−１をベース部１０に固定する。取付部１３３−１は、載置部１３２−１がベース部１０に固定されたときに、ケース２の底部８が載置される水平面に平行な平面に載置面１３５−１が沿うように、形成されている。左側原稿台補助ジグ１３１−２は、右側原稿台補助ジグ１３１−１と同様に形成され、すなわち、載置部１３２−２と取付部１３３−２とを備えている。載置部１３２−２は、平坦である載置面１３５−２が形成されている。取付部１３３−２は、載置部１３２−２に一体に接合されている。取付部１３３−２は、ケース２の左側側部７−２に引っ掛けられることにより、ケース２を介して載置部１３２−２をベース部１０に固定する。取付部１３３−２は、載置部１３２−２がベース部１０に固定されたときに、ケース２の底部８が載置される水平面に平行な平面に載置面１３５−２が沿うように、形成されている。
【００７７】
このとき、ケース２は、右側原稿台補助ジグ１３１−１と左側原稿台補助ジグ１３１−２との両方を画像読取装置本体３とともに収納することができるように形成されている。このような複数の原稿台補助ジグを備えた画像読取装置は、既述の画像読取装置１と同様にして、原稿を適切に保持することができ、かつ、コンパクトに形成されることができる。このような複数の原稿台補助ジグを備えた画像読取装置は、さらに、蛇腹系の書物１３９、巻物系の書物１３８に例示される長尺の書物を電子化するときに、原稿台１１と右側原稿台補助ジグ１３１−１と左側原稿台補助ジグ１３１−２とに載置されることができる。このような画像読取装置は、長尺の書物の両端が右側原稿台補助ジグ１３１−１と左側原稿台補助ジグ１３１−２とにそれぞれ載置されることにより、このような長尺の書物を適切に保持することができる。
【００７８】
［実施例７］
＜さらに他の原稿台補助ジグ＞
さらに、原稿台補助ジグは、平坦でない載置面が形成されることもできる。図１４は、実施例７の原稿台補助ジグを示す正面図である。その原稿台補助ジグ１４１は、図１４に示されているように、載置部１４２と取付部１４３とを備えている。取付部１４３は、ケース２の左側側部７−２に引っ掛けられることにより、ケース２を介してベース部１０に固定される。載置部１４２は、取付部１４３に一体に接合されている。載置部１４２は、取付部１４３がベース部１０に固定されたときに、上側を向く載置面１４５が形成されている。載置面１４５は、窪み１４６と窪み１４７とが形成されている。このような原稿台補助ジグ１４１は、巻物系の書物１４９が原稿台１１に載置されたときに、巻物系の書物１４９の一端が窪み１４６または窪み１４７に嵌るように巻物系の書物１４９が載置面１４５に載置されることができる。原稿台補助ジグ１４１は、巻物系の書物１４９の一端が窪み１４６または窪み１４７に嵌ることにより、巻物系の書物１４９の一端が転がって原稿台補助ジグ１４１から落下することを防止することができる。
【００７９】
［実施例８］
＜さらに他の原稿台補助ジグ＞
図１５は、実施例８の原稿台補助ジグを示す正面図である。その原稿台補助ジグ１６１は、金属材料に例示される材料から形成され、形状の変形ができ、その変更後の形状を保持することができる。原稿台補助ジグ１６１は、図１５に示されているように、紐状に形成されている。原稿台補助ジグ１６１は、載置部１６２と取付部１６３とを備えている。取付部１６３は、原稿台補助ジグ１６１の一端の側に形成され、ユーザにより適切に塑性変形されることにより、ケース２の手前側側部７−３に引っ掛けられ、ケース２を介して原稿台補助ジグ１６１の全体をベース部１０に固定する。載置部１６２は、球状に形成され、取付部１６３が形成される一端の反対側の他端に形成されている。載置部１６２は、原稿のうちの原稿台１１からはみ出た部分に点で接することにより、そのはみ出た部分が載置される。このような原稿台補助ジグ１６１は、ユーザにより適切に塑性変形されることにより、載置部１６２が所定の位置に配置されるように形成される。原稿台補助ジグ１６１を備えた画像読取装置は、載置部１６２に平坦な載置面が形成されていないが、アルバム１６９に例示される原稿が載置されることができる。このため、原稿台補助ジグ１６１を備えた画像読取装置は、既述の原稿台補助ジグと同様にして、原稿のうちの原稿台１１からはみ出た部分が載置部１６２に載置されることにより、原稿を適切に保持することができる。原稿台補助ジグ１６１は、ケース２の右側側部７−１または左側側部７−２に引っ掛けられて固定されることもできる。
【００８０】
［実施例９］
＜さらに他の原稿台補助ジグ＞
原稿台補助ジグ２１は、画像読取装置本体３から取り外さないで移動することができる他の原稿台補助ジグに置換されることができる。図１６は、実施例９の原稿台補助ジグを示す斜視図である。その原稿台補助ジグ１７１は、第１載置部１７３と第２載置部１７４と第１ヒンジ部１７５と第２ヒンジ部１７６とを備えている。第１載置部１７３は、左側原稿台１１−２の原稿台本体１７２と概ね同じサイズの板状に形成されている。第２載置部１７４は、原稿台本体１７２と概ね同じサイズの板状に形成されている。第１ヒンジ部１７５は、原稿台本体１７２のうちの手前側側部７−３の側の一辺に沿う回転軸を中心に回転可能に第１載置部１７３を支持している。第１ヒンジ部１７５は、さらに、図示されていない第１固定部を備えている。その第１固定部は、第１載置部１７３が原稿台本体１７２から開く方向に回転しないで第１載置部１７３が原稿台本体１７２に閉じる方向にのみ回転するように制限している。その第１固定部は、さらに、原稿台本体１７２から第１載置部１７３が所定の角度（たとえば、６０度）以下に閉じられると開く方向に回転可能に解放する。第２ヒンジ部１７６は、第１載置部１７３が原稿台本体１７２に重なるように配置されているときに、第１載置部１７３のうちの左側側部７−２の側の一辺に沿う回転軸を中心に回転可能に第２載置部１７４を支持している。第１ヒンジ部１７５は、さらに、図示されていない第２固定部を備えている。その第２固定部は、第２載置部１７４が第１載置部１７３から開く方向に回転しないで第２載置部１７４が第１載置部１７３に閉じる方向にのみ回転するように制限している。その第２固定部は、さらに、第１載置部１７３から第２載置部１７４が所定の角度（たとえば、６０度）以下に閉じられると開く方向に回転可能に解放する。このような第１ヒンジ部１７５および第２ヒンジ部１７６は、周知であり、座椅子の背もたれの角度調整などに利用されている。
【００８１】
原稿台補助ジグ１７１は、図１６に示されているように、第１載置部１７３と第２載置部１７４とが原稿台本体１７２に重なるように配置されている状態で、画像読取装置本体３とともにケース２に収納されることができる。
【００８２】
図１７は、図１６の原稿台補助ジグの他の状態を示す斜視図である。より詳細には、第１載置部１７３が原稿台本体１７２に重なり、第２載置部１７４が第１載置部１７３から開いた状態で固定された原稿台補助ジグ１７１を示している。第２載置部１７４は、この状態で、ケース２のフタ部６がケース本体５を閉鎖しようとすると、フタ部６に干渉する。第２載置部１７４は、第１載置部１７３に重なっているときに第１載置部１７３に対向する側の面に載置面１７７が形成されている。原稿台補助ジグ１７１は、この状態で、原稿台１１に載置された原稿が左側側部７−２の側にはみ出るときに、そのはみ出た部分が第２載置部１７４の載置面１７７に載置される。
【００８３】
図１８は、図１６の原稿台補助ジグのさらに他の状態を示す斜視図である。より詳細には、第２載置部１７４が第１載置部１７３に重なり、第１載置部１７３が原稿台本体１７２から開いた状態で固定された原稿台補助ジグ１７１を示している。第１載置部１７３は、この状態で、ケース２のフタ部６がケース本体５を閉鎖しようとすると、フタ部６に干渉する。第１載置部１７３は、原稿台本体１７２に重なっているときに原稿台本体１７２に対向する側の面に載置面１７８が形成されている。原稿台補助ジグ１７１は、この状態で、原稿台１１に載置された原稿が手前側側部７−３の側にはみ出るときに、そのはみ出た部分が第１載置部１７３の載置面１７８に載置される。
【００８４】
このように、原稿台補助ジグ１７１は、既述の原稿台補助ジグ２１と同様にして、原稿のうちの原稿台１１からはみ出た部分が載置されることができる。原稿台補助ジグ１７１は、さらに、ケース２に取り付ける手間が省け、既述の原稿台補助ジグ２１に比較して、はみ出し部分が載置される載置面をより容易に配置することができる。原稿台補助ジグ１７１が設けられた画像読取装置は、さらに、第１載置部１７３と第２載置部１７４とが折り畳まれることにより、コンパクトになり、このため、容易に搬送されることができる。
【００８５】
なお、原稿台補助ジグ１７１が設けられた画像読取装置は、画像読取装置本体３が収納されるケース２が省略された場合でも、原稿台補助ジグ１７１が画像読取装置本体３と別個にならないで、容易に搬送されることができる。ケース２が省略された画像読取装置は、画像読取装置本体３のベース部１０が作業台に載置される。このようにケース２が省略された画像読取装置も、第１載置部１７３と第２載置部１７４とにより、原稿を適切に保持することができる。
【００８６】
［実施例１０］
＜他の連動機構＞
連動機構５３は、原稿押さえ部１２の角度と原稿台本体３０の高さとの関係が線形ではないように形成されることもできる。図１９は、実施例１０の連動機構を示す側面図である。その連動機構１８１は、既述の連動機構５３と同様にして、リンク５４と支点台５５と作用点部５７とを備え、カム１８２を備えている。カム１８２は、原稿押さえ部１２の支持部材５１の一部から右側側部７−１に向かって突出する突起に形成され、原稿押さえ部１２の回転軸５２からカム１８２の周囲までの距離が一定でないように形成されている。
【００８７】
図２０は、図１９の連動機構１８１の他の状態を示す側面図である。より詳細には、透明平板１６が右側原稿台１１−１の載置面１５から遠ざかるように原稿押さえ部１２が回転軸５２を中心に回転された後の状態を示している。このとき、連動機構１８１は、既述の連動機構５３に比較して、原稿押さえ部１２の回転軸５２からリンク５４とカム１８２とが接触している点までの距離がより大きく変化するように、形成されている。
【００８８】
図２１は、実施例１０の原稿押さえ部の角度と原稿台本体の高さとの関係を示すグラフである。そのグラフ上の曲線１８５は、原稿押さえ部１２の角度が増加すると原稿台本体３０の高さが単調に減少することを示している。グラフ上の曲線１８５は、さらに、原稿押さえ部１２が単位角度だけ回転するときに原稿台本体３０が昇降する移動距離が、原稿押さえ部１２の角度が小さくなるほど、すなわち、原稿押さえ部１２が原稿台本体３０に近くなるほど、大きくなることを示している。すなわち、透明平板１６が原稿台１１の近傍に配置されている場合の原稿台本体３０の単位角度当たりの移動距離は、透明平板１６が原稿台１１から遠い位置に配置されている場合の原稿台本体３０の単位角度当たりの移動距離より、大きくなる。
【００８９】
連動機構１８１が設けられた画像読取装置は、原稿押さえ部１２と原稿台本体３０とがこのように連動することにより、透明平板１６が原稿台１１から離れた位置から原稿台１１の載置面と平行に近い角度で接近することができる。このため、画像読取装置は、原稿台１１に載置された原稿の厚さが厚い場合でも、原稿の読取面に原稿押さえ部１２の透明平板１６が平行に近い角度で接触することができる。画像読取装置は、さらに、原稿台１１に載置された原稿に原稿押さえ部１２の透明平板１６が押し付けられたときに原稿にしわが寄ることが防止され、原稿の読取面を適切に読み取ることができる。また、連動機構１８１が設けられた画像読取装置も、既述の画像読取装置１と同様にして、載置部が設けられていることにより、原稿が落ちたりずれたりすることを防止し、原稿を適切に保持することができる。
【００９０】
［実施例１１］
＜さらに他の連動機構＞
連動機構５３は、さらに、リンク機構と異なる他の機構から形成されることもできる。図２２は、実施例１１の連動機構を示す側面図である。その連動機構１９１は、図２２に示されているように、板１９２とカム１９３とを備えている。板１９２は、原稿台本体３０のベース部１０の側に配置され、原稿台本体３０に固定されている。カム１９３は、柱体に形成され、その柱体の軸が原稿押さえ部１２の回転軸５２に平行になるように、かつ、原稿押さえ部１２の回転軸５２に交差するように配置され、原稿押さえ部１２の支持部材５１に固定されている。カム１９３は、さらに、原稿押さえ部１２とともに回転軸５２を中心回転するときに、その柱体の側面が板１９２のうちのベース部１０から遠い側の端に摺動するように形成されている。
【００９１】
連動機構１９１は、原稿押さえ部１２が開くように回転軸５２を中心に回転するときに、カム１９３が板１９２のうちのベース部１０から遠い側の端を押し下げることにより、連動機構５３と同様にして、右側原稿台１１−１の原稿台本体３０を下降させる。連動機構１９１が設けられた画像読取装置は、既述の画像読取装置１と同様にして、原稿押さえ部１２が閉じられるときに、右側原稿台１１−１の原稿台本体３０を上方に上昇させることができる。このため、画像読取装置は、原稿台１１に載置された原稿にしわが寄ることを防止することができる。また、連動機構１９１が設けられた画像読取装置も、既述の画像読取装置１と同様にして、載置部が設けられていることにより、原稿が落ちたりずれたりすることを防止し、原稿を適切に保持することができる。
【００９２】
［実施例１２］
＜さらに他の連動機構＞
図２３は、実施例１２の連動機構を示す側面図である。その連動機構１９５は、図２３に示されているように、ラック１９６とピニオン１９７とを備えている。ラック１９６は、板状に形成され、複数の歯１９８が形成されている。ラック１９６は、原稿台本体３０のベース部１０の側に配置され、複数の歯１９８が原稿押さえ部１２の回転軸５２の側を向くように、原稿台本体３０に固定されている。ピニオン１９７は、円板状に形成され、その円板の周囲に複数の歯１９９が形成されている。ピニオン１９７は、その円板の中心軸が原稿押さえ部１２の回転軸５２に重なるように、かつ、複数の歯１９９がピニオン１９７の複数の歯１９８にかみ合うように、原稿押さえ部１２の支持部材５１に固定されている。
【００９３】
連動機構１９５は、このように形成されていることにより、原稿押さえ部１２が開くように回転軸５２を中心に回転するときに、ピニオン１９７がラック１９６を下方に押し下げる。連動機構１９５は、ピニオン１９７がラック１９６を下方に押し下げることにより、連動機構５３と同様にして、右側原稿台１１−１の原稿台本体３０を下方に下降させることができる。連動機構１９５は、原稿押さえ部１２が閉じるように回転軸５２を中心に回転するときに、カム１９３が板１９２を解放することにより、連動機構５３と同様にして、右側原稿台１１−１の原稿台本体３０を上方に上昇させることができる。
【００９４】
連動機構１９５が適用された画像読取装置も、既述の画像読取装置１と同様にして、原稿台１１の載置面と平行に近い角度で透明平板１６を原稿台１１に接近させることができる。このため、画像読取装置は、原稿台１１に載置された原稿に原稿押さえ部１２の透明平板１６が押し付けられたときに原稿にしわが寄ることが防止され、原稿の読取面を適切に読み取ることができる。また、連動機構１９５が設けられた画像読取装置も、既述の画像読取装置１と同様にして、載置部が設けられていることにより、原稿が落ちたりずれたりすることを防止し、原稿を適切に保持することができる。
【００９５】
ところで、画像読取装置は、連動機構を省略することもできる。連動機構が省略された画像読取装置も、既述の画像読取装置１と同様にして、既述の載置部が設けられていることにより、原稿が落ちたりずれたりすることを防止し、原稿を適切に保持することができる。
【００９６】
さらに、画像読取装置は、原稿台の載置面が昇降しないでベース部１０に固定されるように原稿台が形成されることもできる。ベース部１０に固定される載置面が形成された原稿台を備えている画像読取装置も、既述の画像読取装置１と同様にして、既述の載置部が設けられていることにより、原稿が落ちたりずれたりすることを防止し、原稿を適切に保持することができる。
【符号の説明】
【００９７】
１  ：画像読取装置
２  ：ケース
３  ：画像読取装置本体
１０：ベース部
１１：原稿台
１２：原稿押さえ部
１４：読取ユニット部
２１：原稿台補助ジグ
２２：載置部
２３：取付部
２５：載置面
５３：連動機構
５４：リンク
５５：支点台
５６：力点部
５７：作用点部
５８：回転軸
【図１】
2017109991.tif 000003
【図２】
2017109991.tif 000004
【図３】
2017109991.tif 000005
【図４】
2017109991.tif 000006
【図５】
2017109991.tif 000007
【図６】
2017109991.tif 000008
【図７】
2017109991.tif 000009
【図８】
2017109991.tif 000010
【図９】
2017109991.tif 000011
【図１０】
2017109991.tif 000012
【図１１】
2017109991.tif 000013
【図１２】
2017109991.tif 000014
【図１３】
2017109991.tif 000015
【図１４】
2017109991.tif 000016
【図１５】
2017109991.tif 000017
【図１６】
2017109991.tif 000018
【図１７】
2017109991.tif 000019
【図１８】
2017109991.tif 000020
【図１９】
2017109991.tif 000021
【図２０】
2017109991.tif 000022
【図２１】
2017109991.tif 000023
【図２２】
2017109991.tif 000024
【図２３】
2017109991.tif 000025
【国際調査報告】
2017109991.tif 000026
2017109991.tif 000027
2017109991.tif 000028
2017109991.tif 000029